(57)【要約】【課題】背フレームが捻れるような変形を伴ってもその変位が背支持フレーム用カバーの破損や使用中の脱落を誘発することがない背支持フレーム用カバーの取付構造を提供する。【解決手段】背支持フレーム３側に設けられた複数の被係止部と、この被係止部に係合して背支持フレーム用カバー１８を背支持フレーム３に係止する複数の係止部、即ち背支持フレーム３側に設けられた被係止部・孔１４と、被係止部１４に係合して背支持フレーム用カバー１８を背支持フレーム３に係止する係止部・十字リブ２８と、背支持フレーム３側に配置された軸・ガスプリング取付ピン１２に底部側から嵌合して背支持フレーム用カバー１８の前部を背支持フレーム３側に固定するクリップ部２７とを有し、背支持フレーム用カバー１８が背支持フレーム３の背フレーム取付け座７の周りを覆い背フレーム３の背フレーム取付け座２０と背支持フレーム３との境界を覆い隠すようにしている。【選択図】図４
2015096164.tif 000002
【特許請求の範囲】
【請求項１】
脚柱上のメインフレームに対して傾動可能に連結された背支持フレームを介して背凭れを傾動可能に支持する椅子の前記メインフレームと前記背凭れとの間の背支持フレームの背面側を覆う背支持フレーム用カバーの取付構造において、
前記背支持フレーム側に設けられた複数の被係止部と、前記被係止部に係合して前記背支持フレーム用カバーを前記背支持フレームに係止する複数の係止部とを有し、前記背支持フレーム用カバーが前記背支持フレームの背受け座面の周りを覆い前記背フレームの底面の背フレーム取付け座と前記背支持フレームの前記背受け座面との境界並びに前記背支持フレームの側方と底面側とを覆い隠すことを特徴とする背支持フレーム用カバーの取付構造。
【請求項２】
前記背支持フレーム側に設けられた複数の被係止部並びに前記背支持フレーム用カバー側に設けられた係止部は、前記背支持フレームの背凭れ支持面側に配置された軸と該軸に底部側から嵌合して前記背支持フレーム用カバーの前部を前記背支持フレーム側に固定する前記背支持フレーム用カバー側のクリップ部とを含むことを特徴とする請求項１記載の背支持フレーム用カバーの取付構造。
【請求項３】
前記背フレームの底面には、前記背フレーム取付け座の周囲に凹部を形成し、該凹部に前記背支持フレーム用カバーの周縁が嵌入されるものである請求項１または２記載の背支持フレーム用カバーの取付構造。
【請求項４】
前記背支持フレーム用カバーの先端側に前記背フレームに穿たれた孔に嵌まって前記背フレームと係合する係止爪を有することを特徴とする請求項１から３のいずれか１つに記載の背支持フレーム用カバーの取付構造。
【請求項５】
前記背支持フレームの正面側を覆う背支持フレーム用の上カバーは、その両側の縁部が前記背支持フレームの背面側を覆う前記背支持フレーム用カバーの内側に嵌まり込んで前記背支持フレーム用カバーの側壁頂部と同じ高さに配置されるものである請求項１から４のいずれか１つに記載の背支持フレーム用カバーの取付構造。
【発明の詳細な説明】
【技術分野】
【０００１】
本発明は、椅子の座や背を支持するメインフレームに対し、前後方向に揺動可能に連結された背支持フレーム（背支桿とも呼ばれる）を被覆する背支持フレーム用カバーの取付構造に関する。
【背景技術】
【０００２】
事務用椅子は一般に、ガススプリングを支柱として内蔵し座を昇降可能とする脚と、この脚の支柱に連結されて支持されるメインフレームと、メインフレームに揺動自在に枢着された背支持フレームと、メインフレーム及び背支持フレームに跨るように載置される座と、背支持フレームに支持された背フレーム（背もたれ枠とも呼ばれる）と背フレーム間に張られ着座者を支持する張地とからなる背凭れとを主要な構成要素とする。このような椅子のメインフレームや背支持フレームは金属鋳造品や板金成形品であることが通例で、これを被覆する樹脂製の化粧カバーを装着することも多い。
【０００３】
即ち、椅子の高いデザイン性が要求される昨今では、背支持フレームと背フレームとを連結するビスなどが外観に顕れないような工夫が求められている。このため、背支杆と背フレームとの連結箇所をカバーで覆い隠す傾向にあり、従来より、背凭れを後傾させるロッキング椅子において、ロッキング機構をカバーで覆い、外観を向上させ、あるいは指挟みなどの事故を防止する構造の椅子は存在する（特許文献１）。
【０００４】
ここで、樹脂製の化粧カバーは、椅子の使用中に脱落しないようメインフレーム及び／または背支持フレームに確実に組み付ける必要がある。特に、背凭れが後傾するシンクロロッキング機構を備える椅子においては、メインフレームと背支持フレームとにかけて複雑な反力機構などを内蔵することから、外観の向上と安全面とからメカ部分を覆う化粧用のカバーの装着が必要とされている。
【０００５】
しかし、カバーの組み付けを確実にしようとすると、取付構造が複雑化して、製造コストの上昇、製品組立時におけるカバーの組み付け作業の手間の増大といった問題を招く。そこで、従来の背支持フレーム用カバーの取付構造は、前カバーと後カバー同士を互いに合わせて取り付けるなどの安易な構造が好まれている。
【先行技術文献】
【特許文献】
【０００６】
【特許文献１】特開２００９−２０７７７０号
【発明の概要】
【発明が解決しようとする課題】
【０００７】
しかしながら、従来の背支持フレーム用カバーの取付構造では、背フレームの下端に背支持フレーム用カバーが背フレーム下端の面と面一になるように配置される椅子のデザインが要求される場合には、背フレームの下端と背支持フレーム用カバーとの突き合わせ部分に隙間が発生し、これに応じることができないものである。従来の背支持フレーム用カバーの取付構造では、背フレームと背支持フレーム用カバーとの間に、ロッキング動作時にずれが生じてしまい、外観を損なう可能性がある。
【０００８】
そこで、椅子のデザインを重視する上で、背フレームの下端と背支持フレーム用カバーとの突き合わせ部分に隙間がでないようにすることが要求される場合には、背支持フレーム用カバーを背フレームに直接ねじ止めにより固定することが考えられるが、背フレームの取り付け構造によっては外観上の問題と破損の問題を伴う。つまり、従来の背支持フレーム用カバーの一端を例えば十字リブなどで背支持フレーム側の側壁の孔に嵌め込み、他端側を背フレームに直接ねじ止めで固定する場合、背フレームがロッキング動作時などに左右方向（水平面内で）に捩れるように変形したり、前後方向（垂直面内で）に揺れるように変形すると、ねじ止めで強固に固定されている背支持フレーム用カバーに引っ張り力や圧縮力（押しつける力）が加わるため、これらの荷重が十字リブ部分に集中するため、十字リブ部分の破損を招くことがある。特に、背フレームと背支持フレーム用カバーとが同一面を構成するように背支持フレーム用カバーを取り付ける場合、背の動きが背支持フレーム用カバー側にそのまま伝わり、背の動きに背支持フレーム用カバーが連動することがある。このため、背フレームに対して背支持フレーム用カバーを固定すれば、背支持フレーム用カバーが背支持フレーム側から外れる虞があるし、背フレームに追従しないように取り付ければ背フレームとの間に余計な隙間ができて見た目を悪くする不具合がある。
【０００９】
したがって、背フレームと背支持フレーム用カバーが連続するように構成される場合には、背支持フレーム用カバーには背フレームの捻れによる取り付け部の破損への対応及び背フレームと背支持フレーム用カバーとの連結部分に余計な隙間ができないようにすることの対応が要求されるが、従来の背支持フレーム用カバー取付構造では、これら２つの要求を両立させることはできない。
【００１０】
そこで、本発明は、背フレームが捻れるような変形を伴ってもその変位が背支持フレーム用カバーの破損や使用中の脱落を誘発することがない背支持フレーム用カバーの取付構造を提供することを目的とする。また、本発明は、背支持フレーム用カバーの取付構造を簡素化し、背支持フレーム用カバーの組み付け作業の手間を軽減しようとする背支持フレーム用カバーの取付構造を提供することを目的とする。
【課題を解決するための手段】
【００１１】
かかる目的を達成するために請求項１記載の発明は、脚柱上のメインフレームに対して傾動可能に連結された背支持フレームを介して背凭れを傾動可能に支持する椅子の前記メインフレームと前記背凭れとの間の背支持フレームの背面側を覆う背支持フレーム用カバーの取付構造において、前記背支持フレーム側に設けられた複数の被係止部と、前記被係止部に係合して前記背支持フレーム用カバーを前記背支持フレームに係止する複数の係止部とを有し、前記背支持フレーム用カバーが前記背支持フレームの背受け座面の周りを覆い前記背フレームの底面の背フレーム取付け座と前記背支持フレームの前記背受け座面との境界並びに前記背支持フレームの側方と底面側とを覆い隠すようにしている。
【００１２】
ここで、前記背支持フレーム側に設けられた複数の被係止部並びに前記背支持フレーム用カバー側に設けられた係止部は、前記背支持フレームの背凭れ支持面側に配置された軸と該軸に底部側から嵌合して前記背支持フレーム用カバーの前部を前記背支持フレーム側に固定する前記背支持フレーム用カバー側のクリップ部とを含むことが好ましい。
【００１３】
また、請求項１または２記載の背支持フレーム用カバーの取付構造において、背フレームの底面には、背フレーム取付け座の周囲に凹部を形成し、該凹部に背支持フレーム用カバーの周縁が嵌入されることが好ましい。
【００１４】
また、請求項１から３のいずれか１つに記載の背支持フレーム用カバーの取付構造において、背支持フレーム用カバーの先端側に背フレームに穿たれた孔に嵌まって背フレームと係合する係止爪を有することが好ましい。
【００１５】
また、請求項１から４のいずれか１つに記載の背支持フレーム用カバーの取付構造において、背支持フレームの正面側を覆う背支持フレーム用の上カバーは、その両側の縁部が背支持フレームの背面側を覆う背支持フレーム用カバーの内側に嵌まり込んで背支持フレーム用カバーの側壁頂部と同じ高さに配置されるものである。
【発明の効果】
【００１６】
請求項１記載の背支持フレーム用カバーの取付構造では、背支持フレーム側にのみ背支持フレーム用カバーを複数の係止部で係止させる一方、背支持フレームの背受け座面の周りを覆い背フレームの底面の背フレーム取付け座と背支持フレームの前記背受け座面との境界並びに背支持フレームの側方と底面側とを背支持フレーム用カバーで覆い隠すようにしているので、背フレームの下端と背支持フレーム用カバーとが面一になるように配置しても、背フレームの左右方向へのねじれを背支持フレーム用カバーに直接伝えることがない構成とすることができる。したがって、背フレームの下端に背支持フレーム用カバーが背フレーム下端の面と面一になるように配置されるデザインにおいて、背支持フレームに対し背フレームが捻れるような変形を伴う場合にも、その変位が背支持フレーム用カバーに直接伝播して背支持フレームと係合する前方の係止部に負担としてかかることがない。つまり、背フレーム側に強固に固定されていないので、背フレームが捻れるような変形を伴ってもその変位が背支持フレーム用カバーの係止部に負担として集中的にかかることがないので、背支持フレーム用カバーの破損や使用中の脱落が起こりにくいものとなる。
【００１７】
また、背支持フレームに対し、前方を係止部で、後方を背支持フレーム側に配置された軸に底部側から嵌合するクリップ部で背支持フレーム用カバーを取付けるようにしたので、背支持フレーム用カバーの後方の取り付けは同カバーを背支持フレーム側の軸に向けて押し込むだけで完了し、カバーの取付構造を簡素化でき、カバーの背支持フレームへの組み付け作業の手間が軽減される。
【００１８】
また、背フレームの底面の背フレーム取付け座の周囲に凹部を形成しているので、該凹部に背支持フレーム用カバーが嵌まることで、背フレームと背支持フレーム用カバーとが連続した面一の面を構成でき、それらの間から内部構造が見える隙間の発生が防がれる。
【００１９】
さらに、背支持フレーム用カバーの背フレーム底面の背フレーム取付け座に重なる他端側に、背フレーム側に設けられた孔に引っ掛かる係止爪を設け、背フレーム側に設けた孔に引っ掛けるようにしているので、背支持フレーム用カバーが背フレームの捩れなどの変形に対して、連結方向と直交する方向にはがたつきの範囲内で遊びが生じるものの、連結方向には追従して動くので背支持フレーム用カバーの背フレームからの浮き上がりを防止することができる。
【００２０】
さらに、上カバーは、背支持フレーム用カバーとの間に段差の生じない連続した面を形成することにより、すっきりした外観を呈することができる。
【図面の簡単な説明】
【００２１】
【図１】本発明にかかる背支持フレーム用カバーの取付構造を適用した椅子の一例を示す側面図である。
【図２】同椅子の座（座受部材を含む）並びに背凭れの張地を取り除き、背フレームと化粧用のカバーとの関係を説明する斜視図である。
【図３】図１のロッキング椅子のロッキング機構の一例を示す説明図である。
【図４】同椅子の背フレームと背支持フレーム用カバーの取付構造を説明する断面図である。
【図５】同椅子の背フレームと背支持フレーム用カバー並びにガススプリングの取付構造を説明する断面図である。
【図６】同椅子の背フレームと背支持フレーム並びに背支持フレーム用カバーの取付関係を説明する斜視図である。
【図７】図２の分解斜視図である。
【図８】同椅子の背フレームと背支持フレーム用カバーの取付関係を説明する斜視図である。
【図９】同椅子の背フレームと背支持フレーム用カバーの取付関係を説明する背面側から見た斜視図である。
【図１０】同椅子の背フレーム取付け座の一例を示す背面側から見た斜視図である。
【図１１】本発明にかかる背支持フレーム用カバーの一実施形態を示す斜視図である。
【図１２】同椅子の背支持フレームの上側に配置される上カバーと下側に配置される背支持フレーム用カバーとの関係を示す側面図である。
【図１３】同椅子の背支持フレームの上側に配置される上カバーと下側に配置される背支持フレーム用カバーとの関係を示す斜視図である。
【発明を実施するための形態】
【００２２】
以下、本発明の構成を図面に示す実施形態に基づいて詳細に説明する。
【００２３】
図１に、本発明にかかる背支持フレーム用カバーの取付構造を適用した一実施形態に係る椅子を示す。なお、本明細書においては座に座った着座者を基準にして上下、前後、左右を定義する。そして、表面側とは、着座者と接する面を、背面側とはその反対側の面を意味し、特に背フレームにおいて前面とは張地で覆われる前面側を意味するものである。
【００２４】
一般的な椅子は、図１に示すように、キャスターを有する脚１９と、脚１９の支柱の上端に取り付けられ支持されるメインフレーム（図示省略）と、このメインフレームに支持された座１５及び背（背フレームを符号１６で示す）とを具備してなる。そして、座１５及び背フレーム１６を支持するメインフレーム及び背支持フレーム並びにこれらに組み込まれて背支持フレームの後傾動作と座受部材の後傾動作とを連動させるシンクロロッキング機構が外から見えないように、それぞれ化粧用のカバー１７，１８などで覆われている。ただし、これら座や背凭れの形状・形態等は特定のものには限定されないので、詳細な説明や図示は省略する。
【００２５】
このロッキング椅子のロッキング機構は、例えば図３に示すように、脚１９と、脚１９の上端部に取り付けられたメインフレーム１と、該メインフレーム１の上方に配置されて当該メインフレーム１に対して前後動と傾動とを可能にするように取り付けられている座受部材２と、座受部材２の後端と回動可能に連結されると共にメインフレーム１に対して揺動可能に連結されてメインフレーム１の後方に突出する背支持フレーム３と、メインフレーム１と背支持フレーム３との間に介在されるロック機構付きガススプリング１１とで構成されている。
【００２６】
メインフレーム１は、座受部材２と背支持フレーム３とを支持して脚１９に搭載させるためのものであり、その前方に座受部材２の前部を前後方向に摺動可能でかつ回動可能に連結ピン４で連結する一方、後方に背フレーム１６を支持する背支持フレーム３を連結ピン６で垂直面内で前後方向に揺動自在に連結すると共に該背支持フレーム３の中程と座受部材の２の後端とを回動軸９で回転自在に連結し、メインフレーム１の後端と背支持フレーム３の後端との間にロック機構付きガススプリング１１がガススプリング取付ピン１３，１２でメインフレーム１及び背支持フレーム３にそれぞれ回動自在に取り付けられて連結されている。ここで、メインフレーム１の前方の連結ピン４は、前後方向に長い長孔１ａに貫通され、座受部材２がメインフレーム１に対して前後方向にスライド可能且つ傾動可能に連結されている。長孔１ｂと連結ピン４とで回転スライド機構５を構成している。なお、座受部材２の上面には、例えば芯材となる座板とその上面に載置されるクッション材及び当該クッション材を覆う上張地とから構成される座１５が取り付けられ支持される。
【００２７】
背支持フレーム３は、背フレーム１６を支持すると共に揺動軸６を支点として座受部材２を後方に引きながら傾動させる梃子として機能するものであり、回転スライド機構５の後方の位置に左右方向に配設された揺動軸６を介して、メインフレーム１に対して揺動可能に連結される。一方、メインフレーム１と背支持フレーム３の前端との間には圧縮コイルばねから成る反力付与機構１０が備えられる。反力付与機構１０は、背支持フレーム３の前端部を連結ピン８を介して後ろに向けて付勢することによって、背凭れ(図示省略)及び座受部材２の傾動に対して反発力を与えて初期位置に戻す働きをする。尚、ガススプリング１１の先端側の背支持フレーム３への取り付けは、ロック機構の操作機構１５の支持フレーム１５ａ部分をガススプリング取付ピン１２に嵌合することで背支持フレーム３に対して回転可能に支持される。勿論、ガススプリング１１の取付け位置関係は真逆であっても構わず、シリンダ側をガススプリング取付ピン１２に嵌合させて支持フレーム１５ａ側を連結ピン１３でメインフレーム１側に取り付けるようにしても良い。因みに、ガスガススプリング（ロック機構付きガススプリング）のロック機構の操作機構及びその取り付け態様自体は周知の技術であるのでここでは詳細については省略する。
【００２８】
本実施形態の場合、背支持フレーム３は、ロック機構付きガススプリング１１を内側に収容するため、例えば弓形の左右一対のプレートを後端で連結する（１枚のプレートを折り曲げて形成する）一方、前端側を揺動軸６と連結ピン８で連結すると共に中程を回動軸９で連結することにより底の無い枠状に形成され、後部側の上面に側壁の一部を内側に折り返すことで左右一対の背受け座面７が形成されている。この背受け座面７は、背凭れを構成する背フレーム１６を取り付けるためのものであり、背フレーム１６の底部に形成される背フレーム取付け座２０と適合する形状、例えば平坦面に形成されている。そして、この背受け座面７には、背フレーム１６側の背フレーム取付け座２０に開けられた締結ボルトを通すための孔２１と対応する位置・間隔で孔３２が設けられている。また、背フレーム取付け座２０の裏面側には、孔３２と同心状にナット３３が溶接付などによって固着されている。本実施形態の背支持フレーム３の場合、背受け座面７は、ロック機構付きガススプリング１１の操作機構１５と干渉しないように、左右に二分されて中程にスペースが設けられている。
【００２９】
また、背支持フレーム３の前方には、背支持フレーム用カバー１８の前端側の係止部材即ち係止部としての十字リブ２８が嵌入するための被係止部としての円孔１４が左右両プレートにそれぞれ設けられている。他方、背支持フレーム３の後方には、背受け座面７の下でガススプリング取付ピン１２が横切るように配置されて固着されている。
【００３０】
ここで、背凭れは、特定の構造並びに形状に限定されるものではないが、本実施形態の場合には、背支持フレーム３に片持ち支持される背フレーム１６と、該背フレーム１６の前面側を覆うように張り渡される張地（図示省略）とで構成され、ある程度の可撓性と剛性を備える樹脂コード（図示省略）を張地の縁部に取り付け、張地の周縁部を樹脂コードと共に折り返して、背フレーム１６の外側部に背もたれ面に沿って形成された張地取付用の溝（図示省略）に押し込むことにより、張地をフレームの表面側に張り詰めて固定し、背凭れ面・身体支持面を構成するように設けられている。
【００３１】
そして、この背凭れを構成する概略矩形状の環状を成す背フレーム１６の底部には、図７及び図１０に示すように、当該背フレーム１６を背支持フレーム３の背受け座面７に取り付けるための背フレーム取付け座２０が形成されている。この背フレーム取付け座２０は、背支持フレーム３の２枚の板を並べたような左右一対の背受け座面７とその間のスペースに適合する凹凸面を少なくとも裏面側に有し、背受け座面７の上に載置したときに凹凸が嵌合して互いに密着するように設けられている。この背フレーム取付け座２０には、締結ボルトを通すための孔２１と、ロック機構付きガススプリング１１の操作機構１５との干渉を回避するための空所２５と、後上カバー３４の突起３６が貫通するための孔２３とが設けられている。また、背フレーム取付け座２０は、リブ２０ａが側方に立てられると共にリブ１６ａが後端側に立てられ、背フレーム取付け座２０の構造強度を補強するように設けられている。さらに、側方リブ２０ａの外側には、背支持フレーム用カバー１８の側壁の縁１８ａ部分を収容するための凹部２４が形成され、後寄りの位置に背支持フレーム用カバー１８の側壁１８ｂの上縁に立てられた係止爪２６を通過させる孔２２が開けられている。この孔２２は、係止爪２６との間で引っ掛け方向と直交する方向に相対的にがたつきを与えることで背支持フレーム用カバー１８の相対的動きを許容する程度の大きさとされている。
【００３２】
以上のように構成された背支持フレーム３と背フレーム１６とは、背フレーム３の背受け面７に背フレーム取付け座２０を被せるように宛がい、孔２１，３２を合わせてから該孔２１，３２に図示しない締結ボルトを通して背フレーム取付け座２０の裏面側のナット３３にねじ込むことで、互いに連結することができる。
【００３３】
この椅子の背支持フレーム３及びメインフレーム１は、図２に示すように、それぞれ化粧用のカバー１７，１８，３４，３７，４１で覆われ、外から見えないように隠されている。
【００３４】
背支持フレーム３に取り付ける主たる化粧カバーである背支持フレーム用カバー１８は、本実施形態の場合、例えば図１１に示すように、背支持フレーム３の側方を覆う左右の側壁１８ｂと、背支持フレーム３の底面側を覆う底壁１８ｃとを有する無蓋有底の箱形を成す樹脂成形部材であり、背支持フレーム３の側方並びに底面側を包み込むような輪郭形状、即ち前方（メインフレーム側）へ向かうほど高く、後方（背受け座面７側）へ向かうに従って漸次低くなるように全体として湾曲した背支持フレーム３の側方から見た形状に沿った側壁形状を成している。
【００３５】
背支持フレーム用カバー１８の後部、即ち背受け座面７の周辺を囲繞する部分の側壁１８ｂには背フレーム１６の底面の背フレーム取付け座２０の周りの凹部２４に嵌合し背受け座面７と平行となるように僅かに外側に突出した縁１８ａを有する。これにより、図８及び９に示すように、背フレームの底部の凹部２４によって区画された背フレーム取付座面２０と、背支持フレーム用カバー１８の縁１８ａとが僅かな一定の隙間を縁１８ａの周囲に空けて背フレーム１６の底面と面一となるように嵌合される。即ち、背フレーム１６と背支持フレーム用カバー１８とは、背フレーム１６の底面と背支持フレーム用カバー１８の縁部１８ａとが面一に形成された連続的なデザインとすることができる。
【００３６】
背支持フレーム用カバー１８の底壁１８ｃの後端には、背フレーム１６の背フレーム取付け座２０に設けられたリブ１６ａと噛み合う櫛歯状の立ち上がり壁２９が設けられている。この立ち上がり壁２９は背支持フレーム用カバー１８を背フレーム１６の底部の背フレーム取付け座２０に宛がったときに、背フレーム１６側のリブ１６ａと噛み合うことにより、左右の位置決めと係着効果を発揮するようにしたものである。
【００３７】
また、背支持フレーム用カバー１８の底壁１８ｃの後部寄りの位置、即ち背フレーム３に装着するときに、ガススプリング取付ピン１２と交わる位置に、ガススプリング取付ピン１２と嵌合してこれを把持する把持部例えばＣ字形状のクリップ部（ばね状の軸受け部）２７が立設されている。本実施形態の場合、クリップ部２７は、例えば補強リブを兼ね備える横断面Ｔ形のプレート状柱の上に一体的に設けられており、半円形を成す。尚、本実施形態では、連結力の増大と連結後の安定保持を図るため、左右に分けて１組設けているが、これに特に限定されるものではなく、場合によっては１本あるいは３本以上のクリップ部２７を設けるようにしても良い。また、本実施形態では、背支持フレーム用カバー１８の後部をばね状のクリップ部２７を利用してワンタッチで着脱可能に取り付けているが、このようなクリップ式取付構造に特に限られず、他の形式の挟み付け構造にしても良い。尚、側壁１８ｂと底壁１８ｃとにかけてリブ４０が補強のため設けられている。また、このリブ４０には、上方の段部４０ａと下方の段部４０ｂとを有し、ガススプリング取付ピン１２にクリップ部２７を弾性変形させて嵌合させることによって背支持フレーム用カバー１８を背支持フレーム３に装着する際に、上方の段部４０ａが背フレーム１６の背フレーム取付け座２０の裏面側に突出するリブ２０ａに当接すると共に下方の段部４０ｂが背支持フレーム３の下面に当接し、底壁１８ｃ側のクリップ部２７をガススプリング取付ピン１２から僅かに引き離す方向の弾性力を常時付与してクリップ部２７をガススプリング取付ピン１２との間のがたつきを無くすように配慮されている。
【００３８】
さらに、背支持フレーム用カバー１８の側壁１８ｂの前方には、背支持フレーム３の孔１４に嵌合される係止部となる突起２８を内方に向けて突出させるように形成している。この突起２８は例えば十字リブである。勿論、突起２８は十字リブに限られるものではないが、最小限のプラスチック量で孔１４に嵌まるピンと同程度の機能を得るに好適な形状である。突起２８は、半球体であったり、単なるピンあるいは円筒、さらには角錐などでも背支持フレーム用カバー１８と背支持フレーム３との係止を可能とする。
【００３９】
また、背支持フレーム用カバー１８の側壁１８ｂの先端側の縁３０は、背支持フレーム３に装着した状態において、側面視で背支持フレーム３の揺動中心（軸６）を中心とする円弧状に形成されている。同様に、メインフレーム１に被せられるメインフレーム用カバー１７の側壁の後方側の端部も、軸６を中心とする円弧状に形成されている。これにより、背支持フレーム３が揺動しても、背支持フレーム用カバー１８とメインフレーム用カバー１７との間の隙間が一定に保たれるように配慮されている。尚、本実施形態においては、背支持フレーム用カバー１８は上述のような形態を採っているがこれに特に限定されるものでは無く、背支持フレーム３の形状に対応した形態を適宜採用することは言うまでもない。
【００４０】
他方、背支持フレーム３の上方には、図２及び図７に示すように、背フレーム１６の背フレーム取り付け座２０の上方を覆う後上カバー３４と座後端連結用回転軸９の周りを覆う前上カバー３７とが備えられている。ここで、前上カバー３７と後上カバー３４とは１枚のカバー構造とすることもできるが、本実施形態の場合、敢えて前上カバー３７と後上カバー３４との２部材に分離している。この場合、座１５を取り外すまでも無く、後上カバー３４のみを取り外すだけで、ガススプリング１１を交換したり、さらには背フレーム１６を背支持フレーム３から取り外すことができる。つまり、前上カバー３７と後上カバー３４とが１枚のカバー構造とされる場合には、部品点数を減らすというメリットはあるものの、ガススプリング１１を交換したりさらには背フレーム１６を背支持フレーム３から取り外すときに、座１５から取り外さざるを得ないという面倒も伴う。後上カバー３４は、背フレーム１６の背フレーム取り付け座２０の上方を覆うものであり、後端側が背フレーム１６の背フレーム取り付け座２０の上で下横辺部の下に潜り込むように押し込まれた状態で、背フレーム１６の背フレーム取り付け座２０の前端側の中央に穿孔された孔２３に突起３６が挿入されると共に背フレーム取り付け座２０の前端側側壁部に左右両側部の係止爪３５を側方から抱きかかえるように引っ掛けることによって取り付けられている。他方、この後上カバー３４の周縁３４ａは、図７に示すように、背フレーム１６の背フレーム取り付け座２０の表側に形成されている凹部２４ｆに嵌合し（図２参照）、後上カバー３４の周縁３４ａと背フレーム１６とが段差のない連続した平面を形成するように設けられている。
【００４１】
また、前上カバー３７は、背支持フレーム３に支持される座後端連結用の回転軸９を中心にその前後部分を上から覆うものであり、後上カバー３４の前端中央に設けられた突起３６と嵌合する切り欠き３８が後端に設けられると共に、メインフレーム用カバー１７の上方を覆うメインフレーム用上カバー４１の下に潜り込む舌片３９が前端の両側に突出するように設けられており、メインフレーム用上カバー４１の後端縁と後上カバー３４の前端縁とによって背支持フレーム３に押さえつけられるように装着される。このメインフレーム用上カバー４１は、回転軸９を覆う部分の半円形の側壁部３７ｃが背支持フレーム用カバー１８の側壁１８ｂの頂部１８ｂ１と突き合わされるように形成される一方、側壁部３７ｃよりも後方側の縁部３７ｂが背支持フレーム用カバー１８の側壁１８ｂの内側に嵌まり込んで頂部１８ｂ１と同じ高さに配置されると共に、側壁部３７ｃよりも前方側では蛙股状に縁部３７ａが形成されて背支持フレーム用カバー１８の側壁１８ｂの内側に嵌まり込んで頂部１８ｂ１と同じ高さに配置されるように設けられている。したがって、前上カバー３７並びに後上カバー３４は、図１２及び図１３に示すように、背支持フレーム用カバー１８並びに背フレーム１６との間に段差の生じない連続した面を形成するような外観を呈する。さらに、前上カバー３７と後上カバー３４並びに前上カバー３７とメインフレーム用上カバー４１とは、図１２に示すように、椅子の側方から見てそれらの継ぎ目において段差のない連続した一直線の輪郭形状を成す。これにより、すっきりした外観を呈することができる。
【００４２】
以上のように構成されたカバー取り付け構造によれば、背支持フレーム用カバー１８の前方を拡げて十字リブ２８を背支持フレーム３の孔１４に嵌め込んでから、後方のクリップ部２７を背支持フレーム３側のガススプリング取付ピン１２に底部側から押し当てて嵌合することにより、背支持フレーム用カバー１８を背支持フレーム３に装着することができる。そして、背フレーム１６の底面の背フレーム取付け座２０と背支持フレーム３の背受け座面７との境界並びに背支持フレーム３の側方と底面側とを覆い隠すことができる。しかも、背もたれ・背フレーム１６の下端に背支持フレーム用カバー１８が背フレーム下端の面と面一になるように配置されるデザインが実現される。
【００４３】
さらに、背支持フレーム用カバー１８は、背支持フレーム３に対し、前方を十字リブ２８で、後方をガススプリング１１のガススプリング取付ピン１２に取付けることで、背もたれの左右方向へのねじれを背支持フレーム用カバー１８に直接伝えないような構成とすることができる。背もたれの下端に背支持フレーム用カバー１８が背もたれ下端の面と面一になるように配置されるデザインにおいて、背支持フレーム用カバー１８を背もたれ・背フレーム１６に固定する構造を採ると、背支持フレーム３に対し背フレーム１６が捻れるような変形を伴う場合、その変位が背支持フレーム用カバー１８に直接伝播して背支持フレーム３と係合する十字リブ２８に負担がかかることとなる。しかしながら、背支持フレーム用カバー１８は、背支持フレーム３に十字リブ２８とガススプリング取付ピン１２とを利用して取付けられており、背凭れ・背フレーム１６側に強固に固定されていないので、背フレーム１６が捻れるような変形を伴ってもその変位が十字リブ２８に負担としてかかることはない。
【００４４】
さらに、背フレーム１６の孔２２に背支持フレーム用カバー１８の上端の係止爪２６が挿入されて引っ掛けられることにより、背フレーム１６に対する締結方向と直交する方向には孔２２と係止爪２６とのがたつきの範囲で背支持フレーム用カバー１８の相対的動きが許容される。これにより、締結方向には背フレーム１６の動きに背支持フレーム用カバー１８がある程度追従するため、凹部２４内に収められている背支持フレーム用カバー１８の縁部１８ａが浮き上がることがない。即ち、このデザインにおける、背フレーム１６の底面と背支持フレーム用カバー１８の縁部１８ａとの面一を確保することができる。
【００４５】
なお、上述の形態は本発明の好適な形態の一例ではあるがこれに限定されるものではなく、本発明の要旨を逸脱しない範囲において種々変形実施可能である。例えば、上述の実施形態では、ガスプリング取付ピン１２を利用し、このピン１２に嵌合するＣ字形状の爪部（軸受け部）を利用してカバーの前部をワンタッチで着脱可能に取り付けているが、このようなクリップ式取付構造に特に限られず、他の形式の挟み付け構造にしても良いし、背支持フレーム３と他の部材とを相対回動可能に枢着するヒンジ軸や、背支持フレーム内に実装した各種メカを操作するための操作軸等の軸類全般に対して適用することも可能である。要は、カバーの一端側の固定方法として、押し込むことによってデットポイントを乗り越えて相手側部材を挟持する手法を採用し、他方を背支持フレームの側面に嵌合により固定できる手法としたものであれば実施可能である。
【００４６】
また、上述の実施形態では、背フレーム１６と該背フレーム１６の表側に張り渡された状態で背凭れとして適度な弾力性と張力とを発揮し得る材質の張地とで構成される背凭れの支持フレームの例を挙げて説明したが、この構造の背凭れに特に限られるものではなく、発泡ウレタンと背板などを用いた背凭れなどを支持する背支持フレームに対して適用することも可能である。
【００４７】
また、上述の実施形態では、背フレームに対する背支持フレーム用カバー１８の引っ掛ける箇所は実施例の限りではない。
【００４８】
例えば、上述の実施形態の背支持フレーム３は左右に離間し対向して配設される一対のプレートを連結したものとして内方にロック機構付きガススプリング１１を収容するようにし、ガスプリング取付ピン１２を背支持フレーム用カバー１８の固定手段として利用するようにしているが、この構造に特に限られず、ロック機構付きガススプリング１１などを収容しない一本のパイプからなる背支持フレームであっても良い。この場合には、背支持フレームの外に突出する軸を背支持フレーム用カバー１８の固定手段として利用することができる。
【符号の説明】
【００４９】
１  メインフレーム
３  背支持フレーム
７  背支持フレームの背受け座面
１２  背支持フレーム用カバーを取り付けるための背支持フレーム側の手段としてのガスプリング取付ピン
１４  背支持フレーム用カバーを取り付けるための背支持フレーム側の孔
１６  背フレーム
１８  背支持フレーム用カバー
１８ａ  背支持フレーム用カバーの背フレーム取付け座周辺の縁部
２８  背支持フレーム用カバーの突起としての十字リブ
２７  背支持フレーム用カバーの把持部としてのＣ字形状のクリップ部（ばね状の軸受け部）
２０  背フレーム取付け座
２４  背フレーム取付け座周辺の凹部
【図１】
2015096164.tif 000003
【図２】
2015096164.tif 000004
【図３】
2015096164.tif 000005
【図６】
2015096164.tif 000006
【図７】
2015096164.tif 000007
【図８】
2015096164.tif 000008
【図９】
2015096164.tif 000009
【図１０】
2015096164.tif 000010
【図１１】
2015096164.tif 000011
【図４】
2015096164.tif 000012
【図５】
2015096164.tif 000013
【図１２】
2015096164.tif 000014
【図１３】
2015096164.tif 000015